(57)【要約】【課題】種々の姿勢で画像光を投射する場合に対応して光源ランプを効率的に冷却できるプロジェクタを提供すること。【解決手段】プロジェクタは、光源ランプ１１１１と、光源ランプ１１１１を冷却する冷却装置とを備える。冷却装置は、光源ランプ１１１１に対して空気を送風する複数の冷却ファンを備える。複数の冷却ファンによる空気の各送風方向Ｗ１，Ｗ２は、互いに異なる方向に設定されている。また、各送風方向Ｗ１，Ｗ２は、光源ランプ１１１１から射出される光束の光軸Ａ´に沿う方向から見た場合に、光軸Ａ´に直交し、かつ、互いに対向する方向にそれぞれ設定されている。【選択図】図６
2008262153.tif 000002
【特許請求の範囲】
【請求項１】
光源ランプと、前記光源ランプを冷却する冷却装置とを備えたプロジェクタであって、
前記冷却装置は、前記光源ランプに対して空気を送風する複数の冷却ファンを備え、
前記複数の冷却ファンによる空気の各送風方向は、互いに異なる方向に設定されている
ことを特徴とするプロジェクタ。
【請求項２】
請求項１に記載のプロジェクタにおいて、
前記冷却装置は、２つの前記冷却ファンを備え、
前記各送風方向は、前記光源ランプから射出される光束の光軸に沿う方向から見た場合に、前記光軸に直交し、かつ、互いに対向する方向にそれぞれ設定されている
ことを特徴とするプロジェクタ。
【請求項３】
請求項２に記載のプロジェクタにおいて、
前記各送風方向は、所定の姿勢で当該プロジェクタから画像光を投射する場合に、水平方向にそれぞれ設定されている
ことを特徴とするプロジェクタ。
【請求項４】
請求項２または請求項３に記載のプロジェクタにおいて、
前記各送風方向は、前記各送風方向に直交する方向に沿って互いにずれた状態に設定されている
ことを特徴とするプロジェクタ。
【請求項５】
請求項１に記載のプロジェクタにおいて、
前記冷却装置は、２つの前記冷却ファンを備え、
前記各送風方向は、前記光源ランプから射出される光束の光軸に沿う方向から見た場合に、前記光軸に直交し、かつ、互いに直交する方向にそれぞれ設定されている
ことを特徴とするプロジェクタ。
【請求項６】
請求項５に記載のプロジェクタにおいて、
前記各送風方向は、所定の姿勢で当該プロジェクタから画像光を投射する場合に、鉛直方向または水平方向にそれぞれ設定されている
ことを特徴とするプロジェクタ。
【請求項７】
請求項１から請求項６のいずれかに記載のプロジェクタにおいて、
前記複数の冷却ファンの動作を制御するファン駆動制御部を備え、
前記ファン駆動制御部は、当該プロジェクタの姿勢に応じて、前記複数の冷却ファンの動作を制御する
ことを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して画像光を形成する光変調装置と、画像光を拡大投射する投射光学装置とを備えたプロジェクタが知られている。
このようなプロジェクタにおいて、光源装置としては、例えば一対の電極間で放電発光が行われる光源ランプと、光源ランプから放出された光束を一定方向に揃えて射出するリフレクタとを備えた放電発光型の光源装置が多用される。そして、このような光源装置では、発光に伴う発熱で光源ランプ内の温度が上昇して熱対流が生じ、光源ランプの上方側と下方側とに温度差が生じてしまう。このように、光源ランプの温度分布に比較的大きい偏りが生じた場合には、光源ランプの管壁に黒化等が生じやすく、光源ランプの明るさの低下や、光源ランプの破裂を引き起こしてしまう。
そこで、従来、光源ランプの上方側と下方側との温度差を緩和して光源ランプを効率的に冷却するために、冷却ファンにより光源ランプに対して側方から略水平方向に空気を送風する技術が提案されている（例えば、特許文献１参照）。
【０００３】
【特許文献１】特開２００２−２３２６１号公報
【発明の開示】
【発明が解決しようとする課題】
【０００４】
特許文献１に記載の技術は、略水平方向に画像光を投射する、いわゆる正置き姿勢（机等の設置面上に載置した状態）、および天吊り姿勢（正置き姿勢に対して上下が逆となるように天井等から吊り下げた状態）でプロジェクタから画像光を投射することを前提として設計されたものである。すなわち、正置き姿勢および天吊り姿勢の双方の姿勢でプロジェクタから画像光を投射する場合であっても、光源ランプに対して水平方向から空気が送風され、光源ランプの上方側と下方側との温度差が緩和されて光源ランプが効率的に冷却されることとなる。
しかしながら、特許文献１に記載の技術では、略鉛直方向（上下方向）に画像光を投射する、上方投射姿勢（上方側に投射する姿勢）や下方投射姿勢（下方側に投射する姿勢）でプロジェクタから画像光を投射する場合には、光源ランプに対して冷却ファンが上方側または下方側に位置することとなり、冷却ファンから光源ランプに対して鉛直方向に空気が送風されてしまう。例えば、冷却ファンから光源ランプに対して下方側から上方側に向けて空気が送風された場合には、光源ランプの下方側が主に冷却され、光源ランプの上方側と下方側とに大きい温度差が生じてしまい、光源ランプを効率的に冷却できない。
【０００５】
本発明の目的は、種々の姿勢で画像光を投射する場合に対応して光源ランプを効率的に冷却できるプロジェクタを提供することにある。
【課題を解決するための手段】
【０００６】
本発明のプロジェクタは、光源ランプと、前記光源ランプを冷却する冷却装置とを備えたプロジェクタであって、前記冷却装置は、前記光源ランプに対して空気を送風する複数の冷却ファンを備え、前記複数の冷却ファンによる空気の各送風方向は、互いに異なる方向に設定されていることを特徴とする。
ここで、複数の冷却ファンとしては、直接、光源ランプに対して空気を送風してもよく、ダクトを介して光源ランプに対して空気を送風してもよい。
【０００７】
本発明では、例えば、複数の冷却ファンのうち一の冷却ファンによる空気の送風方向を、正置き姿勢や天吊り姿勢でプロジェクタから画像光を投射する場合に、水平方向となるように設定しておく。このように設定しておけば、正置き姿勢や天吊り姿勢でプロジェクタから画像光を投射する場合に、前記一の冷却ファンを駆動することで、光源ランプに対して水平方向に空気が送風され、光源ランプの上方側と下方側との温度差を緩和して光源ランプを効率的に冷却できる。
また、複数の冷却ファンによる空気の各送風方向が互いに異なる方向に設定されているので、上方投射姿勢や下方投射姿勢でプロジェクタから画像光を投射する際、前記一の冷却ファンから光源ランプに対して送風される空気の送風方向が下方側から上方側に向かう送風方向に設定された場合であっても、他の冷却ファンのうち少なくともいずれかの冷却ファンから光源ランプに対して送風される空気の送風方向を上方側から下方側に向かう送風方向や水平方向の送風方向に設定することが可能となる。このため、上方投射姿勢や下方投射姿勢でプロジェクタから画像光を投射する場合に、前記他の冷却ファンのうち少なくともいずれかの冷却ファンを駆動することで、光源ランプに対して上方側から下方側に向けて、あるいは、水平方向に空気が送風され、光源ランプの上方側と下方側との温度差を緩和して光源ランプを効率的に冷却できる。
したがって、種々の姿勢でプロジェクタから画像光を投射する場合に対応して光源ランプを効率的に冷却でき、本発明の目的を達成できる。
【０００８】
本発明のプロジェクタでは、前記冷却装置は、２つの前記冷却ファンを備え、前記各送風方向は、前記光源ランプから射出される光束の光軸に沿う方向から見た場合に、前記光軸に直交し、かつ、互いに対向する方向にそれぞれ設定されていることが好ましい。
ここで、２つの冷却ファンによる空気の各送風方向としては、光軸に直交する方向に設定されている構成に限らない。各送風方向としては、光軸に沿う方向から見た場合に光軸に直交する方向にそれぞれ設定されていれば、光軸に対して９０°以外の角度で交差する方向に設定されていてもよい。
例えば、プロジェクタの構成として、光源ランプから射出される光束の光軸を中心としてプロジェクタを９０°回転させることで、正置き姿勢、上方投射姿勢、天吊り姿勢、および下方投射姿勢の各姿勢に設定される構成とする。このような構成とした場合には、本発明では、２つの冷却ファンによる空気の各送風方向が上述したように設定されているので、上記各姿勢において、２つの冷却ファンのうち少なくともいずれかの冷却ファンにより光源ランプに対して上方側から下方側に向けて、あるいは、水平方向に空気を送風することが可能な構成となる。このため、プロジェクタを上述した構成とした場合において、上述した種々の姿勢で画像光を投射する場合に対応して光源ランプを効率的に冷却できる。
また、冷却装置が２つの冷却ファンを備えているので、最低限の数の冷却ファンで、種々の姿勢で画像光を投射する場合に対応して光源ランプを効率的に冷却でき、プロジェクタの小型化を阻害することがない。
【０００９】
本発明のプロジェクタでは、前記各送風方向は、所定の姿勢で当該プロジェクタから画像光を投射する場合に、水平方向にそれぞれ設定されていることが好ましい。
本発明では、各送風方向は、所定の姿勢、例えば正置き姿勢でプロジェクタから画像光を投射する場合に、水平方向にそれぞれ設定されている。このことにより、プロジェクタを上述したように光軸を中心として９０°回転させることで上記各姿勢に設定される構成とした場合において、上記各姿勢で、２つの冷却ファンのうち少なくともいずれかの冷却ファンにより光源ランプに対して上方側から下方側に向けて、あるいは、水平方向に空気を確実に送風できる。
【００１０】
本発明のプロジェクタでは、前記各送風方向は、前記各送風方向に直交する方向に沿って互いにずれた状態に設定されていることが好ましい。
本発明では、各送風方向が上述したように設定されているので、２つの冷却ファンの駆動時において、一方の冷却ファンからの空気と他方の冷却ファンからの空気とが干渉することがない。すなわち、一方の冷却ファンから吐出された空気が他方の冷却ファンの吐出口に入り込むことを抑制できる。このため、双方の冷却ファンから良好に空気を送風させることができ、光源ランプをより効率的に冷却できる。また、他方の冷却ファンの吐出口に、一方の冷却ファンから吐出された空気、すなわち、光源ランプを介して熱せられた空気が入り込むことを抑制できるため、各冷却ファンの熱劣化を防止できる。
【００１１】
本発明のプロジェクタでは、前記冷却装置は、２つの前記冷却ファンを備え、前記各送風方向は、前記光源ランプから射出される光束の光軸に沿う方向から見た場合に、前記光軸に直交し、かつ、互いに直交する方向にそれぞれ設定されていることが好ましい。
ここで、複数の冷却ファンによる空気の各送風方向としては、光軸に直交する方向に設定されている構成に限らず、光軸に沿う方向から見た場合に互いに直交する方向にそれぞれ設定されていれば、光軸に対して９０°以外の角度で交差する方向に設定されていてもよい。
【００１２】
本発明によれば、プロジェクタを上述したように光軸を中心として９０°回転させることで上記各姿勢に設定される構成とした場合に、複数の冷却ファンによる空気の各送風方向が上述したように設定されているので、上記各姿勢において、複数の冷却ファンのうち少なくともいずれかの冷却ファンにより光源ランプに対して上方側から下方側に向けて、あるいは、水平方向に空気を送風することが可能な構成となる。このため、プロジェクタを上述した構成とした場合において、上述した種々の姿勢で画像光を投射する場合に対応して光源ランプを効率的に冷却できる。
また、冷却装置が２つの冷却ファンを備えているので、最低限の数の冷却ファンで、種々の姿勢で画像光を投射する場合に対応して光源ランプを効率的に冷却でき、プロジェクタの小型化を阻害することがない。
【００１３】
本発明のプロジェクタでは、前記各送風方向は、所定の姿勢で当該プロジェクタから画像光を投射する場合に、鉛直方向または水平方向にそれぞれ設定されていることが好ましい。
本発明では、複数の冷却ファンによる空気の各送風方向は、所定の姿勢（例えば、正置き姿勢）で当該プロジェクタから画像光を投射する場合に、光軸に沿う方向から見て互いに直交する鉛直方向または水平方向にそれぞれ設定されている。このことにより、プロジェクタを上述したように光軸を中心として９０°回転させることで上記各姿勢に設定される構成とした場合において、上記各姿勢で、複数の冷却ファンのうち少なくともいずれかの冷却ファンにより光源ランプに対して上方側から下方側に向けて、あるいは、水平方向に空気を確実に送風できる。
【００１４】
本発明のプロジェクタでは、前記複数の冷却ファンの動作を制御するファン駆動制御部を備え、前記ファン駆動制御部は、当該プロジェクタの姿勢に応じて、前記複数の冷却ファンの動作を制御することが好ましい。
ここで、ファン駆動制御部は、例えば、以下に示すように、プロジェクタの姿勢を認識する。
すなわち、プロジェクタに、利用者によりプロジェクタの姿勢（例えば、正置き姿勢、天吊り姿勢、上方投射姿勢、下方投射姿勢等）を設定入力可能な操作手段を設ける。そして、ファン駆動制御部は、操作手段からの操作信号を入力することで、プロジェクタの姿勢を認識する。
また、プロジェクタに、該プロジェクタの姿勢を検出するジャイロセンサ等の傾斜状態検出部を設ける。そして、ファン駆動制御部は、傾斜状態検出部からの信号を入力することで、プロジェクタの姿勢を認識する。
【００１５】
本発明では、プロジェクタは、当該プロジェクタの姿勢に応じて、複数の冷却ファンの動作を制御するファン駆動制御部を備える。このことにより、ファン駆動制御部によりプロジェクタの姿勢に応じて複数の冷却ファンの動作が制御されるため、上述した種々の姿勢で画像光を投射する場合に対応して光源ランプを効率的に冷却できる。
【発明を実施するための最良の形態】
【００１６】
[第１実施形態]
以下、本発明の第１実施形態を図面に基づいて説明する。
〔プロジェクタの構成〕
図１は、プロジェクタ１の概略構成を示すブロック図である。
プロジェクタ１は、光源から射出される光束を画像情報に応じて変調してカラー画像（画像光）を形成し、このカラー画像をスクリーンＳｃ上に拡大投射する。このプロジェクタ１は、図１に示すように、画像投射部１０と、操作手段２０と、第１冷却装置３０Ａおよび第２冷却装置３０Ｂと、制御装置４０と、各部材１０，３０Ａ，３０Ｂ，４０を内部に収納配置する外装筐体５０（図３参照）とで大略構成されている。
【００１７】
図２は、画像投射部１０の概略構成を示す図である。なお、図１では、説明を簡略化するために、画像投射部１０の構成として、第１光源装置１１Ａ、第２光源装置１１Ｂ、液晶パネル１５１、および投射レンズ１６のみを図示している。図２では、説明を簡略化するために、投射レンズ１６からの投射方向をＺ軸とし、Ｚ軸に直交する２軸をそれぞれＸ軸およびＹ軸とする。以下の図も同様である。なお、Ｚ軸およびＸ軸は、図２に示すように、第１光源装置１１Ａおよび第２光源装置１１Ｂから投射レンズ１６に至る光束の光軸Ａにて形成される平面（図２中、紙面に平行な面）内にて互いに直交する軸である。また、Ｙ軸は、前記平面に直交する軸である。
画像投射部１０は、制御装置４０による制御の下、画像光を形成してスクリーンＳｃに拡大投射する。この画像投射部１０は、図２に示すように、第１光源装置１１Ａおよび第２光源装置１１Ｂと、照明光学装置１２と、色分離光学装置１３と、リレー光学装置１４と、光学装置１５と、投射光学装置としての投射レンズ１６とを備える。
【００１８】
第１光源装置１１Ａおよび第２光源装置１１Ｂは、照明光学装置１２に向けて光束を射出するものである。なお、各光源装置１１Ａ，１１Ｂは、同様の構成を有しているため、以下では、第１光源装置１１Ａのみを説明する。そして、第２光源装置１１Ｂについては、同一符号を付して説明を省略する。
第１光源装置１１Ａは、光源装置本体１１１（図２）と、制御装置４０による制御の下、所定の駆動電圧で光源装置本体１１１を構成する光源ランプ１１１１（図１、図２）を駆動（点灯）させる光源駆動部１１２（図１）とを備える。
光源装置本体１１１は、図２に示すように、一対の電極１１１１Ａ間で放電発光が行われる光源ランプ１１１１と、主反射鏡１１１２と、平行化レンズ１１１３と、ランプハウジング１１１４とを備える。なお、ランプハウジング１１１４の詳細な構成については、各冷却装置３０Ａ，３０Ｂを説明する際に、同時に説明する。
そして、光源ランプ１１１１から放射された光束は、主反射鏡１１１２により光源装置本体１１１の前方側に射出方向を揃えて集束光として射出され、平行化レンズ１１１３によって平行化され、照明光学装置１２に射出される。
ここで、光源ランプ１１１１としては、ハロゲンランプやメタルハライドランプ、または高圧水銀ランプが多用される。また、主反射鏡１１１２としては、図１では、楕円面リフレクタで構成しているが、光源ランプ１１１１から射出された光束を略平行化して反射するパラボラリフレクタとして構成してもよい。この場合には、平行化レンズ１１１３を省略する。
以上説明した各光源装置１１Ａ，１１Ｂを構成する各光源装置本体１１１は、図２に示すように、射出する光束の光軸Ａ´を略一致させた状態で、Ｘ軸方向に互いに対向して配置されている。
【００１９】
照明光学装置１２は、図２に示すように、各光源装置１１Ａ，１１Ｂに対応して設けられる２つの第１レンズアレイ１２１、導光プリズム１２０、第２レンズアレイ１２２、偏光変換素子１２３、および重畳レンズ１２４を備える。そして、各光源装置１１Ａ，１１Ｂから射出された光束は、各第１レンズアレイ１２１によって複数の部分光束にそれぞれ分割される。各第１レンズアレイ１２１から射出された複数の部分光束は、導光プリズム１２０により略９０°偏向されて同一方向（＋Ｚ軸方向）に進行し、第２レンズアレイ１２２の近傍で結像する。第２レンズアレイ１２２から射出された各部分光束は、その中心軸（主光線）が偏光変換素子１２３の入射面に垂直となるように入射し、偏光変換素子１２３にて略１種類の直線偏光光として射出される。偏光変換素子１２３から直線偏光光として射出され、重畳レンズ１２４を介した複数の部分光束は、光学装置１５の後述する３枚の液晶パネル上で重畳する。
【００２０】
色分離光学装置１３は、図２に示すように、２枚のダイクロイックミラー１３１，１３２、および反射ミラー１３３を備え、これらのダイクロイックミラー１３１，１３２、反射ミラー１３３により照明光学装置１２から射出された複数の部分光束を赤、緑、青の３色の色光に分離する機能を有する。
リレー光学装置１４は、図２に示すように、入射側レンズ１４１、リレーレンズ１４３、および反射ミラー１４２，１４４を備え、色分離光学装置１３で分離された色光、例えば、赤色光を光学装置１５の後述する赤色光側の液晶パネルまで導く機能を有する。
【００２１】
光学装置１５は、入射した光束を画像情報に応じて変調して画像光（カラー画像）を形成するものである。この光学装置１５は、図２に示すように、３つの液晶パネル１５１（赤色光側の液晶パネルを１５１Ｒ、緑色光側の液晶パネルを１５１Ｇ、青色光側の液晶パネルを１５１Ｂとする）と、各液晶パネル１５１の光路前段側に配置される入射側偏光板１５２と、各液晶パネル１５１の光路後段側に配置される射出側偏光板１５３と、色合成光学装置としてのクロスダイクロイックプリズム１５４とを備える。
【００２２】
３つの入射側偏光板１５２は、色分離光学装置１３で分離された各光束のうち、偏光変換素子１２３で揃えられた偏光方向と略同一の偏光方向を有する偏光光のみ透過させ、その他の光束を吸収するものであり、透光性基板上に偏光膜が貼付されて構成されている。
３つの液晶パネル１５１は、一対の透明なガラス基板に電気光学物質である液晶が密閉封入された構成を有し、制御装置４０からの駆動信号に応じて、前記液晶の配向状態が制御され、入射側偏光板１５２から射出された偏光光束の偏光方向を変調する。
３つの射出側偏光板１５３は、入射側偏光板１５２と略同様の機能を有し、液晶パネル１５１を介して射出された光束のうち、一定方向の偏光光を透過し、その他の光束を吸収する。
【００２３】
クロスダイクロイックプリズム１５４は、射出側偏光板１５３から射出された色光毎に変調された各色光を合成してカラー画像を形成する。このクロスダイクロイックプリズム１５４は、４つの直角プリズムを貼り合わせた平面視略正方形状をなし、直角プリズム同士を貼り合わせた界面には、２つの誘電体多層膜が形成されている。これら誘電体多層膜は、液晶パネル１５１Ｇから射出され射出側偏光板１５３を介した色光を透過し、液晶パネル１５１Ｒ，１５１Ｂから射出され射出側偏光板１５３を介した各色光を反射する。このようにして、各色光が合成されてカラー画像が形成される。
投射レンズ１６は、複数のレンズが組み合わされた組レンズとして構成され、クロスダイクロイックプリズム１５４で形成されたカラー画像をスクリーンＳｃに拡大投射する。
【００２４】
図３は、プロジェクタ１の姿勢を模式的に示す図である。
操作手段２０は、図示しないリモートコントローラや、プロジェクタ１に備えられたボタンやキーにより構成され、利用者による入力操作を認識して所定の操作信号を制御装置４０に出力する。
例えば、操作手段２０は、利用者による「正置き姿勢でプロジェクタ１から画像光を投射する」旨の入力操作を認識し、該入力操作に応じた操作信号を制御装置４０に出力する。
ここで、正置き姿勢とは、図３（Ａ）に示すように、投射レンズ１６からの投射方向（Ｚ軸）が略水平方向となる姿勢を意味する。
また、例えば、操作手段２０は、利用者による「天吊り姿勢でプロジェクタ１から画像光を投射する」旨の入力操作を認識し、該入力操作に応じた操作信号を制御装置４０に出力する。
ここで、天吊り姿勢とは、図３（Ｂ）に示すように、正置き姿勢（図３（Ａ））の状態からＸ軸（光軸Ａ´）またはＺ軸を中心として１８０°回転させた姿勢を意味する。
【００２５】
さらに、例えば、操作手段２０は、利用者による「上方投射姿勢でプロジェクタ１から画像光を投射する」旨の入力操作を認識し、該入力操作に応じた操作信号を制御装置４０に出力する。
ここで、上方投射姿勢とは、図３（Ｃ）に示すように、正置き姿勢（図３（Ａ））の状態からＸ軸を中心として矢印Ｒ１方向（図３（Ａ））に回転させ、投射レンズ１６からの投射方向（Ｚ軸）が上方側となる姿勢を意味する。
【００２６】
さらに、例えば、操作手段２０は、利用者による「下方投射姿勢でプロジェクタ１から画像光を投射する」旨の入力操作を認識し、該入力操作に応じた操作信号を制御装置４０に出力する。
ここで、下方投射姿勢とは、図３（Ｄ）に示すように、正置き姿勢（図３（Ａ））の状態からＸ軸を中心として矢印Ｒ２方向（図３（Ａ））に回転させ、投射レンズ１６からの投射方向（Ｚ軸）が下方側となる姿勢を意味する。
【００２７】
図４および図５は、第１冷却装置３０Ａによる光源ランプ１１１１の冷却構造を模式的に示す図である。具体的に、図４は、光束射出側から見た場合での冷却構造を示す図である。図５は、＋Ｙ軸方向から見た場合での冷却構造を示す図である。
第１冷却装置３０Ａは、図２に示すように、第１光源装置１１Ａに対応して設けられ、第１光源装置１１Ａを構成する光源ランプ１１１１に空気を送風して冷却する。
第２冷却装置３０Ｂは、図２に示すように、第２光源装置１１Ｂに対応して設けられ、第１光源装置１１Ｂを構成する光源ランプ１１１１に空気を送風して冷却する。
なお、各冷却装置３０Ａ，３０Ｂは、同様の構成を有しているため、以下では、第１冷却装置３０Ａのみを説明する。そして、第２冷却装置３０Ｂについては、同一符号を付して説明を省略する。
【００２８】
ここで、第１冷却装置３０Ａの構成を説明する前に、ランプハウジング１１１４の構成について説明する。なお、各光源装置１１Ａ，１１Ｂを構成する各ランプハウジング１１１４は、光束射出側から見て後述する各導入口１１１４Ａ，１１１４Ｂおよび各整流板１１１４Ｅ，１１１４Ｆの形成位置が逆に設定されている点が異なるのみである。以下では、第１光源装置１１Ａのランプハウジング１１１４のみを説明する。
ランプハウジング１１１４は、図４または図５に示すように、光源ランプ１１１１および主反射鏡１１１２を内部に収納配置する略直方体形状を有する。
【００２９】
このランプハウジング１１１４において、Ｚ軸方向に交差する両端面には、図４または図５に示すように、光束が射出される前方側に、外部の空気を内部に導入するための導入口１１１４Ａ，１１１４Ｂが形成されている。
一対の導入口１１１４Ａ，１１１４Ｂは、図５に示すように、Ｙ軸方向から見た場合には、互いに対向する位置に形成されている。
また、一対の導入口１１１４Ａ，１１１４Ｂは、図４に示すように、光軸Ａ´に沿う方向から見た場合には、各開口中心位置Ｐ１，Ｐ２のＹ軸方向の位置が互いに異なるように形成されている。
また、このランプハウジング１１１４において、一対の導入口１１１４Ａ，１１１４Ｂに対して直交する両端面には、図４または図５に示すように、光束が射出される前方側に、内部の空気を外部に排出するための排出口１１１４Ｃ，１１１４Ｄが形成されている。
【００３０】
より具体的に、本実施形態では、＋Ｚ軸方向側の導入口１１１４Ａは、Ｙ軸方向の長さ寸法Ｌ１（図４）が１５ｍｍに設定されている。そして、導入口１１１４Ａは、開口中心位置Ｐ１が光軸Ａ´に対して、＋Ｙ軸方向に１０ｍｍの離間寸法ＬＯ１（図４）分、ずれた位置に形成されている。
一方、−Ｚ軸方向側の導入口１１１４Ｂは、Ｙ軸方向の長さ寸法Ｌ２（図４）が１４ｍｍに設定されている。そして、導入口１１１４Ｂは、開口中心位置Ｐ２が光軸Ａ´に対して、−Ｙ軸方向に１０ｍｍの離間寸法ＬＯ２（図４）分、ずれた位置に形成されている。
【００３１】
さらに、このランプハウジング１１１４において、各導入口１１１４Ａ，１１１４Ｂの内周縁には、図５に示すように、整流板１１１４Ｅ，１１１４Ｆが形成されている。これら整流板１１１４Ｅ，１１１４Ｆは、各導入口１１１４Ａ，１１１４Ｂにおける光束が射出される前方側の内周縁から、ランプハウジング１１１４におけるＺ軸方向に交差する各側面に対して傾斜した状態でランプハウジング１１１４内部に向けて突出するように形成されている。そして、整流板１１１４Ｅは、導入口１１１４Ａを介してランプハウジング１１１４内部に導入された空気を−Ｚ軸方向から−Ｘ軸方向に所定角度、傾斜した方向に整流する。また、整流板１１１４Ｆは、導入口１１１４Ｂを介してランプハウジング１１１４内部に導入された空気を＋Ｚ軸方向から−Ｘ軸方向に所定角度、傾斜した方向に整流する。
【００３２】
第１冷却装置３０Ａは、図１に示すように、第１ファン装置３１と、第２ファン装置３２とを備える。
第１ファン装置３１は、図１に示すように、第１冷却ファン３１１と、制御装置４０による制御の下、所定の駆動電圧で第１冷却ファン３１１を駆動させる第１ファンドライバ３１２とを備える。
第１冷却ファン３１１は、ファン回転軸方向から吸入した空気を回転接線方向に吐出する遠心力ファン（シロッコファン）で構成され、図２、図４または図５に示すように、空気を吐出する吐出口３１１Ａ（図２、図５）が−Ｘ軸方向に向く状態で、ランプハウジング１１１４の＋Ｚ軸方向側に配設されている。そして、ランプハウジング１１１４の導入口１１１４Ａと吐出口３１１Ａとは、ダクト３１１Ｂにて接続されている。
【００３３】
すなわち、第１冷却ファン３１１の吐出口３１１Ａから吐出された空気は、ダクト３１１Ｂおよび導入口１１１４Ａを介して、ランプハウジング１１１４内部に導入される。ランプハウジング１１１４内部に導入された空気は、整流板１１１４Ｅにて整流されつつ−Ｚ軸方向側に流通し、光源ランプ１１１１の＋Ｙ軸方向側に送風される。そして、光源ランプ１１１１に送風された空気は、主反射鏡１１１２の反射面にならって流通し、ランプハウジング１１１４の各排出口１１１４Ｃ，１１１４Ｄを介してランプハウジング１１１４外部に排出される。
【００３４】
第２ファン装置３２は、図１に示すように、第２冷却ファン３２１と、制御装置４０による制御の下、所定の駆動電圧で第２冷却ファン３２１を駆動させる第２ファンドライバ３２２とを備える。
第２冷却ファン３２１は、シロッコファンで構成され、図２、図４または図５に示すように、吐出口３２１Ａが−Ｘ軸方向に向く状態で、ランプハウジング１１１４の−Ｚ軸方向側に配設されている。そして、ランプハウジング１１１４の導入口１１１４Ｂと吐出口３２１Ａとは、ダクト３２１Ｂにて接続されている。
【００３５】
すなわち、第２冷却ファン３２１の吐出口３２１Ａから吐出された空気は、ダクト３２１Ｂおよび導入口１１１４Ｂを介して、ランプハウジング１１１４内部に導入される。ランプハウジング１１１４内部に導入された空気は、整流板１１１４Ｆにて整流されつつ＋Ｚ軸方向側に流通し、光源ランプ１１１１の−Ｙ軸方向側に送風される。そして、光源ランプ１１１１に送風された空気は、主反射鏡１１１２の反射面にならって流通し、ランプハウジング１１１４の各排出口１１１４Ｃ，１１１４Ｄを介してランプハウジング１１１４外部に排出される。
【００３６】
以上のように、第１冷却ファン３１１による光源ランプ１１１１への送風方向Ｗ１、および第２冷却ファン３２１による光源ランプ１１１１への送風方向Ｗ２は、図４に示すように、光軸Ａ´に沿う方向から見た場合に、光軸Ａ´に直交し、かつ、互いに対向する方向にそれぞれ設定されている。また、各送風方向Ｗ１，Ｗ２は、各送風方向Ｗ１，Ｗ２に直交するＹ軸方向に沿って互いにずれた状態に設定されている。
【００３７】
図６は、種々の姿勢でプロジェクタ１から画像光を投射する場合での第１冷却装置３０Ａによる光源ランプ１１１１への空気の各送風方向Ｗ１，Ｗ２を模式的に示す図である。具体的に、図６は、光束射出側から見た場合での各送風方向Ｗ１，Ｗ２を示している。図６（Ａ）は、図３（Ａ）に対応した図であり、正置き姿勢でプロジェクタ１から画像光を投射する場合での送風方向Ｗ１，Ｗ２を示している。また、図６（Ｂ）〜図６（Ｄ）は、図３（Ｂ）〜図３（Ｄ）にそれぞれ対応した図である。
正置き姿勢でプロジェクタ１から画像光を投射する場合には、各送風方向Ｗ１，Ｗ２は、図６（Ａ）に示すように、互いに逆向きの水平方向に設定される。
また、天吊り姿勢でプロジェクタ１から画像光を投射する場合には、各送風方向Ｗ１，Ｗ２は、図６（Ｂ）に示すように、正置き姿勢時の各送風方向Ｗ１，Ｗ２に対して光軸Ａ´（Ｘ軸）を中心として１８０°回転した逆方向（水平方向）に設定される。
【００３８】
さらに、上方投射姿勢でプロジェクタ１から画像光を投射する場合には、各送風方向Ｗ１，Ｗ２は、以下に示すように設定される。
各送風方向Ｗ１，Ｗ２は、図６（Ｃ）に示すように、正置き姿勢時の各送風方向Ｗ１，Ｗ２に対して光軸Ａ´を中心として矢印Ｒ１方向（図６（Ａ））に９０°回転した方向に設定される。
すなわち、送風方向Ｗ１は、上方から下方への方向（鉛直方向）に設定される。また、送風方向Ｗ２は、下方から上方への方向（鉛直方向）に設定される。
【００３９】
また、下方投射姿勢でプロジェクタ１から画像光を投射する場合には、各送風方向Ｗ１，Ｗ２は、以下に示すように設定される。
各送風方向Ｗ１，Ｗ２は、図６（Ｄ）に示すように、正置き姿勢時の各送風方向Ｗ１，Ｗ２に対して光軸Ａ´を中心として矢印Ｒ２方向（図６（Ａ））に９０°回転した方向に設定される。
すなわち、送風方向Ｗ１は、下方から上方への方向（鉛直方向）に設定される。また、送風方向Ｗ２は、上方から下方への方向（鉛直方向）に設定される。
【００４０】
制御装置４０は、ＣＰＵ(Central Processing Unit)等を含んで構成され、図示しないメモリに記憶された制御プログラムにしたがって、プロジェクタ１全体を制御する。なお、制御装置４０の構成としては、各冷却装置３０Ａ，３０Ｂを制御する機能を主に説明し、その他の機能については説明を簡略化または省略する。この制御装置４０は、図１に示すように、液晶パネル駆動制御部４１と、ファン駆動制御部４２等を備える。
液晶パネル駆動制御部４１は、画像信号（画像情報）に信号処理が施されたデジタル画像データに対して、各種画像処理を施し、画像処理を施したデジタル画像データから駆動信号を生成して該駆動信号を液晶パネル１５１に出力して所定の光学像を形成させる。前記画像処理としては、例えば、拡大・縮小等の画像サイズ調整処理、台形歪補正処理、画質調整処理、ガンマ補正処理等がある。
【００４１】
ファン駆動制御部４２は、操作手段２０からの操作信号を入力することで、プロジェクタ１の姿勢を認識し、各冷却装置３０Ａ，３０Ｂの動作を制御する。なお、ファン駆動制御部４２は、各冷却装置３０Ａ，３０Ｂの動作を同様に制御するものであるため、以下では、第１冷却装置３０Ａの動作を制御する構造のみを説明する。なお、図６では、説明の便宜上、各送風方向を示す矢印Ｗ１，Ｗ２として、送風量の多い方を大きく、送風量の少ない方を小さくなるように示している。
ファン駆動制御部４２は、操作手段２０から「正置き姿勢でプロジェクタ１から画像光を投射する」旨の操作信号を入力した場合には、各ファンドライバ３１２，３２２に所定の制御指令を出力し、図６（Ａ）に示すように、第１冷却ファン３１１からの送風量が第２冷却ファン３２１からの送風量よりも多くなるように制御する。
また、ファン駆動制御部４２は、操作手段２０から「天吊り姿勢でプロジェクタ１から画像光を投射する」旨の操作信号を入力した場合には、各ファンドライバ３１２，３２２に所定の制御指令を出力し、図６（Ｂ）に示すように、第２冷却ファン３２１からの送風量が第１冷却ファン３１１からの送風量よりも多くなるように制御する。
【００４２】
さらに、ファン駆動制御部４２は、操作手段２０から「上方投射姿勢でプロジェクタ１から画像光を投射する」旨の操作信号を入力した場合には、各ファンドライバ３１２，３２２に所定の制御指令を出力し、図６（Ｃ）に示すように、第１冷却ファン３１１からの送風量が第２冷却ファン３２１からの送風量よりも多くなるように制御する。
また、ファン駆動制御部４２は、操作手段２０から「下方投射姿勢でプロジェクタ１から画像光を投射する」旨の操作信号を入力した場合には、第１ファンドライバ３１２および第２ファンドライバ３２２に所定の制御指令を出力し、図６（Ｄ）に示すように、第２冷却ファン３２１からの送風量が第１冷却ファン３１１からの送風量よりも多くなるように制御する。
【００４３】
以上のように、ファン駆動制御部４２は、プロジェクタ１の姿勢に応じて、２つの冷却ファン３１１，３２１のうち上方側に位置する冷却ファンからの送風量を下方側に位置する冷却ファンからの送風量よりも多くなるように第１冷却装置３０Ａの動作を制御する。
例えば、下方側に位置する冷却ファンからの送風量を０にすると、上方側に位置する冷却ファンから送風され、光源ランプ１１１１を介して熱せられた空気が下方側の冷却ファンに入り込み、冷却ファンが熱劣化してしまう為、ファン駆動制御部４２は、常に２つの冷却ファン３１１，３２１が駆動しているように制御する。
【００４４】
上述した第１実施形態によれば、以下の効果がある。
本実施形態では、第１冷却装置３０Ａは、光源ランプ１１１１への空気の送風方向Ｗ１，Ｗ２が上述したように設定された第１冷却ファン３１１および第２冷却ファン３２１を備える。
このことにより、正置き姿勢および天吊り姿勢でプロジェクタ１から画像光を投射する場合には、第１冷却ファン３１１および第２冷却ファン３２１から光源ランプ１１１１に対して水平方向に空気が送風されることとなる。このため、光源ランプ１１１１の上方側と下方側との温度差を緩和して光源ランプ１１１１を効率的に冷却できる。
また、上方投射姿勢でプロジェクタ１から画像光を投射する際、送風方向Ｗ２が光源ランプ１１１１に対して下方から上方への送風方向に設定された場合であっても、送風方向Ｗ１を光源ランプ１１１１に対して上方から下方への送風方向に設定できる。このため、上方投射姿勢でプロジェクタ１から画像光を投射する場合でも、第１冷却ファン３１１から光源ランプ１１１１に対して上方から下方に空気が送風されることとなり、光源ランプ１１１１の上方側と下方側との温度差を緩和して光源ランプ１１１１を効率的に冷却できる。
なお、下方投射姿勢でプロジェクタ１から画像光を投射する場合でも同様に、送風方向Ｗ２が光源ランプ１１１１に対して上方から下方への方向に設定されるため、光源ランプ１１１１を効率的に冷却できる。
したがって、種々の姿勢でプロジェクタ１から画像光を投射する場合に対応して光源ランプ１１１１を効率的に冷却できる。
なお、第２冷却装置３０Ｂも第１冷却装置３０Ａと同様の第１冷却ファン３１１および第２冷却ファン３２１を備えているので、各冷却装置３０Ａ，３０Ｂにより、２つの光源ランプ１１１１を効率的に冷却できる。
【００４５】
ここで、プロジェクタ１は、光源装置本体１１１から射出される光束の光軸Ａ´（Ｘ軸）を中心としてプロジェクタ１を９０°回転させることで、正置き姿勢、上方投射姿勢、天吊り姿勢、および下方投射姿勢の姿勢に設定される。また、各送風方向Ｗ１，Ｗ２は、光軸Ａ´に沿う方向から見た場合に、互いに対向する方向にそれぞれ設定されている。このことにより、上記各姿勢において、第１冷却ファン３１１および第２冷却ファン３２１の少なくともいずれかの冷却ファンにより光源ランプ１１１１に対して上方側から下方側に向けて、あるいは、水平方向に空気を送風することが可能な構成となる。このため、上述した種々の姿勢で画像光を投射する場合に対応して光源ランプ１１１１を効率的に冷却できる。
【００４６】
また、第１冷却ファン３１１および第２冷却ファン３２１は、正置き姿勢および天吊り姿勢でプロジェクタ１から画像光を投射する場合に、水平方向にそれぞれ設定されている。このことにより、上記各姿勢において、第１冷却ファン３１１および第２冷却ファン３２１の少なくともいずれかの冷却ファンにより光源ランプ１１１１に対して上方側から下方側に向けて、あるいは、水平方向に空気を確実に送風できる。
【００４７】
また、各冷却装置３０Ａ，３０Ｂは、２つの第１冷却ファン３１１および第２冷却ファン３２１を備えている。このことにより、最低限の数の冷却ファンで、上記各姿勢で画像光を投射する場合に対応して２つの光源ランプ１１１１を効率的に冷却でき、プロジェクタ１の小型化を阻害することがない。
【００４８】
さらに、各送風方向Ｗ１，Ｗ２は、Ｙ軸方向に沿って互いにずれた状態に設定されている。このことにより、２つの冷却ファン３１１，３２１の駆動時において、一方の冷却ファンからの空気と他方の冷却ファンからの空気とが干渉することがない。すなわち、一方の冷却ファンから吐出された空気が他方の冷却ファンの吐出口に入り込むことを抑制できる。このため、双方の冷却ファン３１１，３２１から良好に空気を送風させることができ、光源ランプ１１１１をより効率的に冷却できる。また、他方の冷却ファンの吐出口に、一方の冷却ファンから吐出された空気、すなわち、光源ランプ１１１１を介して熱せられた空気が入り込むことを抑制できるため、各冷却ファン３１１，３２１の熱劣化を防止できる。さらに、双方の冷却ファン３１１，３２１を常時駆動させることによっても、各冷却ファン３１１，３２１は常に光源ランプ１１１１を冷却するための温度の低い空気を吸入し、また、他方の冷却ファンの吐出口に、一方の冷却ファンから吐出され、光源ランプ３１１１を介して熱せられた空気が入り込むことを抑制できるため、各冷却ファン３１１，３２１の熱劣化を防止できる。
【００４９】
そして、プロジェクタ１は、プロジェクタ１の姿勢に応じて、第１冷却ファン３１１および第２冷却ファン３２１の動作を制御するファン駆動制御部４２を備える。このことにより、ファン駆動制御部４２によりプロジェクタ１の姿勢に応じて各ファン３１１，３２１の動作が制御されるため、上述した種々の姿勢で画像光を投射する場合に対応して光源ランプ１１１１を効率的に冷却できる。
また、ファン駆動制御部４２は、プロジェクタ１の姿勢に応じて、２つの冷却ファン３１１，３２１のうち上方側に位置する冷却ファンからの送風量を下方側に位置する冷却ファンからの送風量よりも多くなるように冷却装置３０を制御する。このことにより、上述した種々の姿勢で画像光を投射する場合に対応して光源ランプ１１１１の上方側を効果的に冷却できる。
なお、前記実施形態では、説明を簡略化するために、プロジェクタ１の姿勢として、正置き姿勢、天吊り姿勢、上方投射姿勢、および下方投射姿勢の４つの姿勢を例に挙げて説明したが、プロジェクタ１は光軸Ａ´を中心とする３６０°全ての方向に対して投射可能な種々の姿勢に設定できるものであり、このような種々の姿勢であっても上述した効果を奏することができる。
【００５０】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図７は、第２実施形態におけるプロジェクタ１の概略構成を示すブロック図である。
図８は、第２実施形態における画像投射部１０の概略構成を示す図である。
前記第１実施形態では、プロジェクタ１は、２つの光源装置１１Ａ，１１Ｂを備えた２灯式で構成されている。また、プロジェクタ１は、２灯式に対応して２つの冷却装置３０Ａ，３０Ｂを備えている。そして、各送風方向Ｗ１，Ｗ２は、光軸Ａ´に沿う方向から見た場合に、光軸Ａ´に直交し、かつ、互いに対向する向きに設定されている。
これに対して本実施形態では、プロジェクタ１は、図７または図８に示すように、光源装置１１を１つのみ備えた１灯式で構成されている。また、プロジェクタ１は、図７に示すように、１灯式に対応させて１つの冷却装置３０のみを備えている。そして、各送風方向Ｗ１，Ｗ２は、光軸Ａ´に沿う方向から見た場合に、光軸Ａ´に直交し、かつ、互いに直交する方向に設定されている。
その他の構成は、前記第１実施形態と同様のものである。
【００５１】
本実施形態では、画像投射部１０は、図８に示すように、１灯式に対応させて、前記第１実施形態で説明した２つの第１レンズアレイ１２１のうち１つの第１レンズアレイ１２１および導光プリズム１２０が省略され、平面視略Ｌ字形状を有するように形成されている。
【００５２】
図９は、第２実施形態における種々の姿勢でプロジェクタ１から画像光を投射する場合での冷却装置３０による光源ランプ１１１１への空気の各送風方向Ｗ１，Ｗ２を模式的に示す図である。具体的に、図９（Ａ）〜図９（Ｄ）は、図６（Ａ）〜図６（Ｄ）と同様に、図３（Ａ）〜図３（Ｄ）にそれぞれ対応した図である。
２つの冷却ファン３１１，３２１のうち、第１冷却ファン３１１は、図９に示すように、光源ランプ１１１１に対して、−Ｚ軸方向側から＋Ｚ軸方向側に向けて（矢印Ｗ１方向）空気を送風するように設定されている。
また、第２冷却ファン３２１は、図９に示すように、光源ランプ１１１１に対して、−Ｙ軸方向側から＋Ｙ軸方向側に向けて（矢印Ｗ２方向）空気を送風するように設定されている。
【００５３】
そして、正置き姿勢でプロジェクタ１から画像光を投射する場合には、各送風方向Ｗ１，Ｗ２は、以下に示すように設定される。
すなわち、送風方向Ｗ１は、図９（Ａ）に示すように、水平方向に設定される。また、送風方向Ｗ２は、図９（Ａ）に示すように、下方から上方への方向（鉛直方向）に設定される。
また、天吊り姿勢でプロジェクタ１から画像光を投射する場合には、送風方向Ｗ１は、前記第１実施形態と同様に正置き姿勢時に対して光軸Ａ´を中心として１８０°回転されるため、図９（Ｂ）に示すように、正置き姿勢時の送風方向Ｗ１に対して逆方向（水平方向）に設定される。また、送風方向Ｗ２は、図９（Ｂ）に示すように、上方から下方への方向（鉛直方向）に設定される。
【００５４】
さらに、上方投射姿勢でプロジェクタ１から画像光を投射する場合には、送風方向Ｗ１は、前記第１実施形態と同様に正置き姿勢時に対して光軸Ａ´を中心として矢印Ｒ１方向（図９（Ａ））に９０°回転されるため、図９（Ｃ）に示すように、下方から上方への方向（鉛直方向）に設定される。また、送風方向Ｗ２は、図９（Ｃ）に示すように、水平方向に設定される。
また、下方投射姿勢でプロジェクタ１から画像光を投射する場合には、送風方向Ｗ１は、前記第１実施形態と同様に正置き姿勢時に対して光軸Ａ´を中心として矢印Ｒ２方向（図９（Ａ））に９０°回転されるため、図９（Ｄ）に示すように、上方から下方への方向（鉛直方向）に設定される。また、送風方向Ｗ２は、図９（Ｄ）に示すように、水平方向に設定される。
【００５５】
なお、具体的な図示は省略したが、本実施形態でも前記第１実施形態と同様に、第１冷却ファン３１１および第２冷却ファン３２１と光源ランプ１１１１（光源装置本体１１１）との間には、ダクトやランプハウジングがそれぞれ配設されているものである。
【００５６】
また、本実施形態では、ファン駆動制御部４２は、前記第１実施形態と同様に、図９に示すように、プロジェクタ１の姿勢に応じて、２つの冷却ファン３１１，３２１のうち上方側に位置する冷却ファンからの送風量を下方側に位置する冷却ファンからの送風量よりも多く、常に２つの冷却ファン３１１，３２１が駆動するように冷却装置３０を制御する。
【００５７】
上述した第２実施形態では、上述したように各送風方向Ｗ１，Ｗ２を互いに直交する方向に設定した場合であっても、前記第１実施形態と同様の効果を奏する。
【００５８】
なお、本発明は前述の実施形態に限定されるものではなく、本発明の目的を達成できる範囲での変形、改良等は本発明に含まれるものである。
前記各実施形態において、冷却装置３０，３０Ａ，３０Ｂの構成は、前記実施形態で説明した構成に限らない。
すなわち、冷却装置３０，３０Ａ，３０Ｂは、２つの冷却ファン３１１，３２１を備えていたが、これに限らず、３つ以上の冷却ファンを備えた構成としても構わない。
また、２つの冷却ファン３１１，３２１の送風方向Ｗ１，Ｗ２は、各整流板１１１４Ｅ，１１１４Ｆにより、光軸Ａ´に９０°以外の角度で交差する方向に設定されていたが、これに限らず、光軸Ａ´に直交する方向であっても構わない。
さらに、２つの冷却ファン３１１，３２１の送風方向Ｗ１，Ｗ２は、光軸Ａ´に沿う方向から見て、光軸Ａ´に直交し、かつ、互いに対向する方向や互いに直交する方向に設定されていたが、これに限らず、互いに異なる方向であればその他の方向であっても構わない。
また、２つの冷却ファン３１１，３２１は、シロッコファンに限らず、空気の吸入方向および吐出方向が同一となる軸流ファンで構成しても構わない。
【００５９】
前記各実施形態では、ファン駆動制御部４２は、操作手段２０からの操作信号を入力することで、プロジェクタ１の姿勢を認識し、認識した結果に基づいて、冷却装置３０，３０Ａ，３０Ｂの動作を制御する構成としていたが、これに限らない。
例えば、プロジェクタ１に、プロジェクタ１の姿勢を検出するジャイロセンサ等の傾斜状態検出部を設ける。そして、ファン駆動制御部４２は、傾斜状態検出部からの信号を入力することで、プロジェクタ１の姿勢を認識し、認識した結果に基づいて、冷却装置３０，３０Ａ，３０Ｂの動作を制御する構成としても構わない。
【００６０】
前記各実施形態において、ファン駆動制御部４２は、前記各実施形態とは異なる態様で冷却装置３０，３０Ａ，３０Ｂの動作を制御しても構わない。
例えば、ファン駆動制御部４２は、第１冷却ファン３１１および第２冷却ファン３２１の双方を駆動していたが、これに限らず、第１冷却ファン３１１および第２冷却ファン３２１のいずれか一方のみを駆動する構成としても構わない。
【００６１】
前記各実施形態では、画像投射部１０は、光源装置１１，１１Ａ，１１Ｂから射出される光軸Ａ´（Ｘ軸）と投射レンズ１６からの投射方向（Ｚ軸）とが直交するように構成されていたが、これに限らず、例えば、光軸Ａ´と投射方向とが平行となるように構成しても構わない。
前記第１実施形態において、各送風方向Ｗ１，Ｗ２を前記第２実施形態で説明した方向に設定しても構わない。また、逆に、前記第２実施形態において、各送風方向Ｗ１，Ｗ２を前記第１実施形態で説明した方向に設定しても構わない。
【００６２】
前記各実施形態では、プロジェクタ１は、液晶パネル１５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記各実施形態では、光入射面と光射出面とが異なる透過型の液晶パネルを用いていたが、光入射面と光射出面とが同一となる反射型の液晶パネルを用いてもよい。
前記各実施形態では、光変調装置として液晶パネルを用いていたが、マイクロミラーを用いたデバイスなど、液晶以外の光変調装置を用いてもよい。この場合は、光束入射側および光束射出側の偏光板１５２，１５３は省略できる。
【産業上の利用可能性】
【００６３】
本発明は、種々の姿勢で画像光を投射する場合に対応して光源ランプを効率的に冷却できるため、プレゼンテーションやホームシアタに用いられるプロジェクタに利用できる。
【図面の簡単な説明】
【００６４】
【図１】第１実施形態におけるプロジェクタの概略構成を示すブロック図。
【図２】前記実施形態における画像投射部の概略構成を示す図。
【図３】前記実施形態におけるプロジェクタの姿勢を模式的に示す図。
【図４】前記実施形態における第１冷却装置による光源ランプの冷却構造を模式的に示す図。
【図５】前記実施形態における第１冷却装置による光源ランプの冷却構造を模式的に示す図。
【図６】前記実施形態における種々の姿勢でプロジェクタから画像光を投射する場合での第１冷却装置による光源ランプへの空気の各送風方向を模式的に示す図。
【図７】第２実施形態におけるプロジェクタの概略構成を示すブロック図。
【図８】前記実施形態における画像投射部の概略構成を示す図。
【図９】前記実施形態における種々の姿勢でプロジェクタから画像光を投射する場合での冷却装置による光源ランプへの空気の各送風方向を模式的に示す図。
【符号の説明】
【００６５】
１・・・プロジェクタ、３０，３０Ａ，３０Ｂ・・・冷却装置、４２・・・ファン駆動制御部、３１１，３２１・・・冷却ファン、１１１１・・・光源ランプ、Ａ´・・・光軸、Ｗ１，Ｗ２・・・送風方向。
【図１】
2008262153.tif 000003
【図２】
2008262153.tif 000004
【図３】
2008262153.tif 000005
【図４】
2008262153.tif 000006
【図５】
2008262153.tif 000007
【図６】
2008262153.tif 000008
【図７】
2008262153.tif 000009
【図８】
2008262153.tif 000010
【図９】
2008262153.tif 000011
【手続補正書】
【提出日】平成20年6月10日(2008.6.10)
【手続補正１】
【補正対象書類名】明細書
【補正対象項目名】００１８
【補正方法】変更
【補正の内容】
【００１８】
第１光源装置１１Ａおよび第２光源装置１１Ｂは、照明光学装置１２に向けて光束を射出するものである。なお、各光源装置１１Ａ，１１Ｂは、同様の構成を有しているため、以下では、第１光源装置１１Ａのみを説明する。そして、第２光源装置１１Ｂについては、同一符号を付して説明を省略する。
第１光源装置１１Ａは、光源装置本体１１１（図２）と、制御装置４０による制御の下、所定の駆動電圧で光源装置本体１１１を構成する光源ランプ１１１１（図１、図２）を駆動（点灯）させる光源駆動部１１２（図１）とを備える。
光源装置本体１１１は、図２に示すように、一対の電極１１１１Ａ間で放電発光が行われる光源ランプ１１１１と、主反射鏡１１１２と、平行化レンズ１１１３と、ランプハウジング１１１４とを備える。なお、ランプハウジング１１１４の詳細な構成については、各冷却装置３０Ａ，３０Ｂを説明する際に、同時に説明する。
そして、光源ランプ１１１１から放射された光束は、主反射鏡１１１２により光源装置本体１１１の前方側に射出方向を揃えて集束光として射出され、平行化レンズ１１１３によって平行化され、照明光学装置１２に射出される。
ここで、光源ランプ１１１１としては、ハロゲンランプやメタルハライドランプ、または高圧水銀ランプが多用される。また、主反射鏡１１１２としては、図２では、楕円面リフレクタで構成しているが、光源ランプ１１１１から射出された光束を略平行化して反射するパラボラリフレクタとして構成してもよい。この場合には、平行化レンズ１１１３を省略する。
以上説明した各光源装置１１Ａ，１１Ｂを構成する各光源装置本体１１１は、図２に示すように、射出する光束の光軸Ａ´を略一致させた状態で、Ｘ軸方向に互いに対向して配置されている。
【手続補正２】
【補正対象書類名】明細書
【補正対象項目名】００２７
【補正方法】変更
【補正の内容】
【００２７】
図４および図５は、第１冷却装置３０Ａによる光源ランプ１１１１の冷却構造を模式的に示す図である。具体的に、図４は、光束射出側から見た場合での冷却構造を示す図である。図５は、＋Ｙ軸方向から見た場合での冷却構造を示す図である。
第１冷却装置３０Ａは、図２に示すように、第１光源装置１１Ａに対応して設けられ、第１光源装置１１Ａを構成する光源ランプ１１１１に空気を送風して冷却する。
第２冷却装置３０Ｂは、図２に示すように、第２光源装置１１Ｂに対応して設けられ、第２光源装置１１Ｂを構成する光源ランプ１１１１に空気を送風して冷却する。
なお、各冷却装置３０Ａ，３０Ｂは、同様の構成を有しているため、以下では、第１冷却装置３０Ａのみを説明する。そして、第２冷却装置３０Ｂについては、同一符号を付して説明を省略する。
【手続補正３】
【補正対象書類名】明細書
【補正対象項目名】００４８
【補正方法】変更
【補正の内容】
【００４８】
さらに、各送風方向Ｗ１，Ｗ２は、Ｙ軸方向に沿って互いにずれた状態に設定されている。このことにより、２つの冷却ファン３１１，３２１の駆動時において、一方の冷却ファンからの空気と他方の冷却ファンからの空気とが干渉することがない。すなわち、一方の冷却ファンから吐出された空気が他方の冷却ファンの吐出口に入り込むことを抑制できる。このため、双方の冷却ファン３１１，３２１から良好に空気を送風させることができ、光源ランプ１１１１をより効率的に冷却できる。また、他方の冷却ファンの吐出口に、一方の冷却ファンから吐出された空気、すなわち、光源ランプ１１１１を介して熱せられた空気が入り込むことを抑制できるため、各冷却ファン３１１，３２１の熱劣化を防止できる。さらに、双方の冷却ファン３１１，３２１を常時駆動させることによっても、各冷却ファン３１１，３２１は常に光源ランプ１１１１を冷却するための温度の低い空気を吸入し、また、他方の冷却ファンの吐出口に、一方の冷却ファンから吐出され、光源ランプ１１１１を介して熱せられた空気が入り込むことを抑制できるため、各冷却ファン３１１，３２１の熱劣化を防止できる。
【手続補正４】
【補正対象書類名】明細書
【補正対象項目名】００４９
【補正方法】変更
【補正の内容】
【００４９】
そして、プロジェクタ１は、プロジェクタ１の姿勢に応じて、第１冷却ファン３１１および第２冷却ファン３２１の動作を制御するファン駆動制御部４２を備える。このことにより、ファン駆動制御部４２によりプロジェクタ１の姿勢に応じて各ファン３１１，３２１の動作が制御されるため、上述した種々の姿勢で画像光を投射する場合に対応して光源ランプ１１１１を効率的に冷却できる。
また、ファン駆動制御部４２は、プロジェクタ１の姿勢に応じて、２つの冷却ファン３１１，３２１のうち上方側に位置する冷却ファンからの送風量を下方側に位置する冷却ファンからの送風量よりも多くなるように冷却装置３０Ａ，３０Ｂを制御する。このことにより、上述した種々の姿勢で画像光を投射する場合に対応して光源ランプ１１１１の上方側を効果的に冷却できる。
なお、前記実施形態では、説明を簡略化するために、プロジェクタ１の姿勢として、正置き姿勢、天吊り姿勢、上方投射姿勢、および下方投射姿勢の４つの姿勢を例に挙げて説明したが、プロジェクタ１は光軸Ａ´を中心とする３６０°全ての方向に対して投射可能な種々の姿勢に設定できるものであり、このような種々の姿勢であっても上述した効果を奏することができる。
【手続補正５】
【補正対象書類名】図面
【補正対象項目名】図２
【補正方法】変更
【補正の内容】
【図２】
2008262153.tif 000012
【手続補正６】
【補正対象書類名】図面
【補正対象項目名】図５
【補正方法】変更
【補正の内容】
【図５】
2008262153.tif 000013